(57)【要約】【課題】クイックレビューの際に、カメラの姿勢に起因する表示部の頻繁な輝度の変化を防止して、かつコストを低減する。【解決手段】カメラは、カメラの姿勢を検出する姿勢検出センサ１５と、カメラの周辺照度を検出する照度センサ１６とを備えている。システム制御回路２４は、撮影の前後において照度検出センサによって検出された照度が明るくなる方向に変化し、かつ姿勢検出センサによって検出された姿勢に所定の変化が生じた状態が満たされたことに応じて表示部２３におけるクイックレビューを開始するように制御する。【選択図】図１
2018074277.tif 000002
【特許請求の範囲】
【請求項１】
撮像装置の姿勢を検出する姿勢検出手段と、
前記撮像装置の周辺照度を検出する照度検出手段と、
撮影の前後において前記照度検出手段によって検出された照度が明るくなる方向に変化し、かつ前記姿勢検出手段によって検出された前記姿勢に所定の変化が生じた状態が満たされたことに応じて、前記撮影によって得られた画像を確認するためのレビューを開始するように制御する制御手段と、
を有することを特徴とする撮像装置。
【請求項２】
前記照度検出手段は、前記撮像装置のファインダ側に備えられていることを特徴とする請求項１に記載の撮像装置。
【請求項３】
前記制御手段は、さらに、前記姿勢検出手段で検出された姿勢が所定の時間以上、同一の姿勢である場合に前記レビューを開始するように制御することを特徴とする請求項１又は２に記載の撮像装置。
【請求項４】
前記制御手段は、前記レビューを開始する開始タイミングにおいて前記姿勢検出手段によって検出された姿勢と前記照度検出手段によって検出された照度とに応じて、前記レビューが表示される表示部の輝度を制御することを特徴とする請求項１乃至３のいずれか１項に記載の撮像装置。
【請求項５】
前記制御手段は、撮影前において前記姿勢検出手段で検出された姿勢の変化量に応じて前記撮像装置が固定されているか否かを判定し、前記撮像装置が固定されている場合には、前記撮影の前後における前記姿勢検出手段によって検出された姿勢の変化および前記照度検出手段によって検出された照度の変化に拘わらず、前記レビューを開始するように制御することを特徴とする請求項１乃至４のいずれか１項に記載の撮像装置。
【請求項６】
前記制御手段は、撮影前において前記姿勢検出手段で検出された姿勢に基づいて前記撮像装置に備えられたレンズが下向きであるか否かを判定し、前記レンズが下向きである場合には、前記撮影の前後における前記姿勢検出手段によって検出された姿勢の変化および前記照度検出手段によって検出された照度の変化に拘わらず、前記レビューを開始するように制御することを特徴とする請求項１乃至４のいずれか１項に記載の撮像装置。
【請求項７】
前記撮像装置における撮像方向の明るさを測光する測光手段を備え、
前記制御手段は、前記照度検出手段によって検出された前記照度が所定の明るさ未満であり、かつ前記測光手段によって測光された測光値が所定の閾値未満である場合には、前記撮影の前後における前記姿勢検出手段によって検出された姿勢の変化および前記照度検出手段によって検出された照度の変化に拘わらず、前記レビューを開始するように制御することを特徴とする請求項１乃至４のいずれか１項に記載の撮像装置。
【請求項８】
前記撮像装置で得られた画像をスルー画として表示するライブビュー表示を行うか否かを設定する設定手段を備え、
前記設定手段によって前記ライブビュー表示の設定が行われている場合、前記制御手段は前記撮像装置によってライブビュー表示中に撮影が行われると当該撮影による画像を、前記ライブビュー表示を開始した際の輝度と同一の輝度で表示部に表示することを特徴とする請求項１乃至４のいずれか１項に記載の撮像装置。
【請求項９】
前記制御手段は、前記撮影の前後において前記照度検出手段によって検出された照度が明るくなる方向に変化し、かつ前記姿勢検出手段によって検出された前記姿勢に所定の変化が生じた状態が満たされた場合には、前記照度検出手段によって検出された照度に応じて、前記レビューが表示される表示部の輝度を制御することを特徴とする請求項１乃至８のいずれか１項に記載の撮像装置。
【請求項１０】
撮像装置の制御方法であって、
姿勢検出センサによって撮像装置の姿勢を検出する姿勢検出ステップと、
照度検出センサによって前記撮像装置の周辺照度を検出する照度検出ステップと、
撮影の前後において前記照度検出ステップで得られた照度が明るくなる方向に変化し、かつ前記姿勢検出ステップで得られた前記姿勢に所定の変化が生じた状態が満たされたことに応じて、前記撮影によって得られた画像を確認するためのレビューを開始するように制御する制御ステップと、
を有することを特徴とする制御方法。
【請求項１１】
コンピュータを、請求項１乃至９のいずれか１項に記載された撮像装置の各手段として機能させるためのプログラム。
【請求項１２】
コンピュータを、請求項１乃至９のいずれか１項に記載された撮像装置の各手段として機能させるためのプログラムを格納したコンピュータが読み取り可能な記憶媒体。
【発明の詳細な説明】
【技術分野】
【０００１】
本発明は、撮像装置、その制御方法、およびプログラム、並びに記憶媒体に関し、特に、撮像装置の姿勢を検知する姿勢検知センサと周辺照度を検知する照度センサとを有する撮像装置に関する。
【背景技術】
【０００２】
一般に、デジタルカメラなどの撮像装置において、撮影によって得られた画像を記録媒体に保存し、且つ当該画像を周辺の照度に応じた輝度で表示するようにしたものがある。そして、このような撮像装置において、撮影が終了して所定の時間が経過すると自動的に直前の撮影によって得られた画像を所定の時間表示するクイックレビュー機能を有するものがある。
【０００３】
さらに、撮影の後、例えば、光学ファインダに対する接眼状態を接眼検知センサで検知するようにした撮像装置がある。そして、この撮像装置では、離眼状態であるとクイックレビューを開始する。また、クイックレビューなどの画像表示を行う際に、撮像装置の周辺照度に応じてその表示輝度を変更する撮像装置がある。
【０００４】
周辺照度に応じて表示輝度を変更する際には、撮像装置の姿勢変化に伴う受光照度の変化に起因する頻繁な表示輝度の変化を防止することが求められている。そこで、表示部の点灯開始タイミングのみ周辺照度に応じた輝度制御を行って、表示部点灯中においては輝度制御を行わないようにした撮像装置がある。
【０００５】
ところが、表示輝度の制御を行う撮像装置において、接眼検知センサを備えないと、ユーザーがカメラに接眼状態であるにも拘らずクイックレビューが開始されてしまうことがある。さらに、この場合には、接眼状態であるので照度センサがユーザーの顔の影となって、周辺照度よりも暗い照度に基づいて表示部の輝度制御が行われてしまうことになる。
【０００６】
このような問題に対処するため、例えば、接眼検知センサによってユーザーの接眼状態を検知して、接眼状態においては表示部のバックライトを消灯するようにした撮像装置がある（特許文献１参照）。
【０００７】
さらに、姿勢検知センサによって検知された撮像装置の姿勢に応じて、ユーザーが表示部を観察している姿勢と判定した場合に、周辺照度に応じて表示部の輝度制御を行うようにした撮像装置がある。ここでは、ユーザーが表示部を観察していないと判定すると、輝度制御を行わないようにしている。
【０００８】
また、姿勢検知センサによって撮像装置が下向き姿勢であると判定すると、クイックレビュー確認中であると見做して、クイックレビュー時間を延長するようにした撮像装置がある（特許文献２参照）。
【先行技術文献】
【特許文献】
【０００９】
【特許文献１】特開２０１３−１２７５４８号公報
【特許文献２】特開２０１２−０１９３２１号公報
【発明の概要】
【発明が解決しようとする課題】
【００１０】
しかしながら、上述の特許文献１および２に記載の撮像装置では、ユーザーが表示部を観察していると判定した場合にのみ表示部の輝度制御を行うようにしている。このため、撮像装置の姿勢が過渡的な状態である場合、当該過渡的な姿勢に応じて表示部の輝度が頻繁に変化してしまうことがある。
【００１１】
さらには、姿勢検出センサおよび照度センサの他に、ユーザーが接眼状態であるか否かを検知するための接眼検知センサが必要となって、コストアップとなってしまう。
【００１２】
そこで、本発明の目的は、クイックレビューの際に、撮像装置の姿勢に起因する表示部の頻繁な輝度の変化を防止し、かつコストを低減することのできる撮像装置、その制御方法、およびプログラム、並びに記憶媒体を提供することにある。
【課題を解決するための手段】
【００１３】
上記の目的を達成するため、本発明による撮像装置は、撮像装置の姿勢を検出する姿勢検出手段と、前記撮像装置の周辺照度を検出する照度検出手段と、撮影の前後において前記照度検出手段によって検出された照度が明るくなる方向に変化し、かつ前記姿勢検出手段によって検出された前記姿勢に所定の変化が生じた状態が満たされたことに応じて、前記撮影によって得られた画像を確認するためのレビューを開始するように制御する制御手段と、を有することを特徴とする。
【発明の効果】
【００１４】
本発明によれば、撮影によって得られた画像を確認するためのレビューの際に、撮像装置の姿勢に起因する表示部の頻繁な輝度の変化を防止して、かつコストを低減することができる。
【図面の簡単な説明】
【００１５】
【図１】本発明の第１の実施形態による撮像装置の一例についてその構成を示すブロック図である。
【図２】図１に示すカメラの外観を説明するための図である。
【図３Ａ】図１に示すカメラで行われるクイックレビュー制御の一例を説明するためのフローチャートである（その１）。
【図３Ｂ】図１に示すカメラで行われるクイックレビュー制御の一例を説明するためのフローチャートである（その２）。
【図４Ａ】本発明の第２の実施形態によるカメラで行われる表示部の輝度を調整する制御を説明するためのフローチャートである（その１）。
【図４Ｂ】本発明の第２の実施形態によるカメラで行われる表示部の輝度を調整する制御を説明するためのフローチャートである（その２）。
【発明を実施するための形態】
【００１６】
以下に、本発明の実施の形態による撮像装置の一例について図面を参照して説明する。
【００１７】
［第１の実施形態］
図１は、本発明の第１の実施形態による撮像装置の一例についてその構成を示すブロック図である。
【００１８】
図示の撮像装置は、例えば、デジタルカメラ（以下単にカメラと呼ぶ）であり、撮影レンズユニット（以下光学レンズと呼ぶ）１０を有している。そして、光学レンズ１０を介して被写体像（光学像）がイメージセンサ１１に結像する。イメージセンサ１１は、例えば、ＣＣＤ又はＣＭＯＳイメージセンサであり、光電変換によって光学像に応じた画像信号（アナログ信号）を出力する。
【００１９】
撮像制御回路１２はイメージセンサ１１を駆動制御して、イメージセンサ１１の出力である画像信号をＡ／Ｄ変換によって画像データとして当該画像データをシステム制御回路２４に出力する。
【００２０】
ＡＦセンサ１３は、撮影の際にオートフォーカスを行うために用いられる。測光センサ（ＡＥセンサ）１４は撮影環境の明るさ、例えば、撮像方向に位置する被写体の明るさ（例えば、輝度）を検出する。当該測光センサ１４は２次元マトリックス状に配列された複数の光電変換素子を有している。そして、測光センサ１４は光学レンズ１０を介して入射する被写体像を受光して光電変換によって輝度信号を生成し、当該輝度信号をシステム制御回路２４に出力する。
【００２１】
姿勢検出センサ１５は、例えば、３軸加速度センサである。システム制御回路２４は姿勢検出センサ１５の出力信号（姿勢検知信号）を受けて、カメラの姿勢を求める。例えば、システム制御回路２４は重力方向を基準軸として、当該基準軸に直交する２軸を設定して、カメラのこれら３軸に対する傾き角度を得てカメラ姿勢を求める。
【００２２】
照度センサ１６は、カメラ周辺の周辺照度に応じたアナログ出力又は照度に応じたデジタル値を出力するセンサＩＣである。照度センサ１６は、後述するようにカメラ背面に配置された表示部２３の近傍に配置される。
【００２３】
表示部２３は、例えば、ＴＦＴディスプレイであり、表示部２３の内部には輝度を制御可能なバックライトが配置されている。システム制御回路２４は、カメラ全体の制御を司るＣＰＵなどのプロッサーである。システム制御回路２４は、後述するように、姿勢検出センサ１５および照度センサ１６の出力に基づいて、バックライトの輝度を調整する。つまり、システム制御回路２４は表示部２３の輝度を制御する。
【００２４】
レリーズ操作ボタン１７は、第１および第２のスイッチＳＷ１およびＳＷ２を有している。ＳＷ１が操作されると、システム制御回路２４は測光およびＡＦ制御などの撮影準備動作を行う。そして、ＳＷ２が操作されると、システム制御回路２４は撮影を実行する。
【００２５】
メモリ制御回路１８は、システム制御回路２４の制御下で、揮発性メモリ２１、イメージセンサ１１、画像処理回路１９、および記録用メモリ２０におけるデータ送受の制御を行う。揮発性メモリ２１はＳＤＲＡＭなどの高速アクセス可能なメモリである。不揮発性メモリ２２はシステム制御回路２４の動作用の定数、変数、およびプログラムを記録するメモリである。
【００２６】
記録用メモリ２０は画像データなどを記録するためのメモリであり、カメラに着脱可能である。ユーザーは記録用メモリ２０の空き容量が不足した場合には記録用メモリ２０を交換することができる。
【００２７】
図２は、図１に示すカメラの外観を説明するための図である。そして、図２（ａ）はカメラを背面側から見た図であり、図２（ｂ）はカメラを側面側から見た図である。
【００２８】
図２（ａ）に示すように、カメラは、カメラ本体２０１を備えており、カメラ本体２０１の上面２０２には図１で説明したレリーズ操作ボタン１７が配置されている。また、カメラ本体２０１の背面２０３には表示部２３が配置され、表示部２３の近傍には照度センサ（照度検出センサ）１６が配置されている。図示のように、照度センサ１６はカメラのファインダ側に配置されている。
【００２９】
図２（ｂ）に示すように、カメラ本体２０１には、光学レンズ１０が着脱可能に装着される。ここでは、光学レンズ１０の光軸に平行な方向をｚ軸、カメラ本体２０１において左右方向をｘ軸、そして、カメラ本体２０１の上下方向をｙ軸とする。
【００３０】
図３Ａおよび図３Ｂは、図１に示すカメラで行われるクイックレビュー制御の一例を説明するためのフローチャートである。なお、図示のフローチャートに係る処理は、不揮発性メモリ２２に格納されたプログラムを揮発性メモリ２１に展開してシステム制御回路２４が実行することによって行われる。
【００３１】
Ｓ３０１において、カメラの電源が投入される。これによって、ステップＳ３０２において、システム制御回路２４は撮影モードの判定を行う。撮影モードが「静止画撮影モード」の場合はＳ３０３に進み、撮影モードが「ライブビューモード」の場合はＳ３２５に進む。
【００３２】
Ｓ３０３では、システム制御回路２４は、姿勢検出センサ１５をＯＮとする（Ｐｏｓｅ１）。そして、システム制御回路２４は姿勢検出センサ１５の出力変化（姿勢変化量）をモニタリングする。なお、ここでは、前述のｘ軸、ｙ軸、およびｚ軸における姿勢変化量をそれぞれＰｏｓｅ１＿ｘ、Ｐｏｓｅ１＿ｙ、およびＰｏｓｅ１＿ｚとする。
【００３３】
続いて、Ｓ３０４では、システム制御回路２４は、レリーズ操作ボタン１７においてＳＷ１が押下げられたか否かを判定する。ＳＷ１が押下げられた場合はＳ３０５に進み、そうでない場合には、システム制御回路２４は待機する。
【００３４】
Ｓ３０５では、システム制御回路２４は、ＡＦセンサ１３の出力に応じてＡＦ制御を行う。そして、Ｓ３０６では、システム制御回路２４は、測光センサ１４の出力に基づいて被写体環境の明るさを検出する測光を行う。
【００３５】
続いて、Ｓ３０７では、システム制御回路２４は、姿勢検出センサ１５の出力に応じて撮影前のカメラ姿勢（Ｐｏｓｅ２）を検知する。ここでは、ｘ軸、ｙ軸、およびｚ軸におけるカメラ姿勢をそれぞれＰｏｓｅ２＿ｘ、Ｐｏｓｅ２＿ｙ、およびＰｏｓｅ２＿ｚとする。
【００３６】
Ｓ３０８では、システム制御回路２４は、照度センサ１６の出力に基づいて撮影前におけるカメラの周辺照度を検出して、その照度検出値をＬｉｇｈｔ＝ａとする。
【００３７】
次に、Ｓ３０９では、システム制御回路２４は、レリーズ操作ボタン１７においてＳＷ２が押下げられたか否かを判定する。ＳＷ２が押下げられた場合はＳ３１０に進み、そうでない場合には、システム制御回路２４は待機する。
【００３８】
Ｓ３１０では、システム制御回路２４は静止画の撮影を実行する。そして、Ｓ３１１では、システム制御回路２４はカメラが三脚に固定されているか否かを判定する。ここでは、システム制御回路２４は、Ｓ３０３で得られた姿勢変化量に基づいてカメラが三脚に固定されているか否かを判定する。
【００３９】
例えば、システム制御回路２４は姿勢変化量Ｐｏｓｅ１＿ｘ、Ｐｏｓｅ１＿ｙ、およびＰｏｓｅ１＿ｚをそれぞれ所定の閾値のＰｏｓｅ１＿ｘ＿ｔｈ、Ｐｏｓｅ１＿ｙ＿ｔｈ、およびＰｏｓｅ１＿ｚ＿ｔｈと比較する。そして、システム制御回路２４はその比較結果に基づいてカメラが三脚に固定されているか否かを判定する。
【００４０】
Ｐｏｓｅ１＿ｘ＿ｔｈ≦Ｐｏｓｅ１＿ｘ、Ｐｏｓｅ１＿ｙ＿ｔｈ≦Ｐｏｓｅ１＿ｙで、かつＰｏｓｅ１＿ｚ＿ｔｈ≦Ｐｏｓｅ１＿ｚである場合、システム制御回路２４はカメラが三脚に固定されていないと判定する。
【００４１】
一方、Ｐｏｓｅ１＿ｘ＿ｔｈ＞Ｐｏｓｅ１＿ｘ、Ｐｏｓｅ１＿ｙ＿ｔｈ＞Ｐｏｓｅ１＿ｙで、かつＰｏｓｅ１＿ｚ＿ｔｈ＞Ｐｏｓｅ１＿ｚである場合、システム制御回路２４はカメラが三脚に固定されていると判定する。
【００４２】
なお、図示の例では、姿勢検出センサ１５を用いて姿勢変化量が所定の範囲以内である場合にカメラは三脚に固定されているとした。一方、カメラが三脚に固定されると、三脚検知スイッチなどがオンとなるようにしてもよい。この場合、システム制御回路２４は当該スイッチのオンに応じてカメラが三脚に固定されたか否かを判定する。
【００４３】
カメラが三脚に固定されていない場合はＳ３１２に進み、固定されている場合はＳ３３６に進む。Ｓ３１２では、システム制御回路２４はカメラの姿勢が下向きであるか否かを判定する。Ｓ３１２においては、システム制御回路２４は、カメラ姿勢Ｐｏｓｅ２＿ｘ、Ｐｏｓｅ２＿ｙ、およびＰｏｓｅ２＿ｚをそれぞれ所定の閾値Ｐｏｓｅ２＿ｘ＿ｔｈ、Ｐｏｓｅ２＿ｙ＿ｔｈ、およびＰｏｓｅ２＿ｚ＿ｔｈと比較する。そして、システム制御回路２４はその比較結果に応じてカメラ姿勢が下向きであるか否かを判定する。
【００４４】
例えば、Ｐｏｓｅ２＿ｘ＿ｔｈ≧Ｐｏｓｅ２＿ｘ、Ｐｏｓｅ２＿ｙ＿ｔｈ≦Ｐｏｓｅ２＿ｙで、かつＰｏｓｅ２＿ｚ＿ｔｈ≧Ｐｏｓｅ２＿ｚである場合、システム制御回路２４はカメラ姿勢が下向きではないと判定する。つまり、システム制御回路２４は光学レンズ１０の向きが下向きではないと判定する。
【００４５】
一方、Ｐｏｓｅ２＿ｘ＿ｔｈ＞Ｐｏｓｅ２＿ｘ、Ｐｏｓｅ２＿ｙ＿ｔｈ＞Ｐｏｓｅ２＿ｙで、かつＰｏｓｅ２＿ｚ＿ｔｈ＜Ｐｏｓｅ２＿ｚである場合、システム制御回路２４はカメラ姿勢が下向きであると判定する。つまり、システム制御回路２４は光学レンズ１０の向きが下向きであると判定する。
【００４６】
カメラ姿勢が下向きの場合はＳ３１３に進み、そうでない場合はＳ３３６に進む。Ｓ３１３では、システム制御回路２４はカメラの撮影環境が暗いか否かを判定する。ここでは、照度検出値Ｌｉｇｈｔ＝ａに対する撮影環境明るさの閾値をＬｉｇｈｔ＿ｔｈ＿Ｆとする。さらに、測光センサ１４による測光値ＡＥ＝αとする。そして、システム制御回路２４は、照度検出値と撮影環境明るさ閾値とを比較するとともに、測光値と測光閾値ＡＥ＿ｔｈとを比較する。
【００４７】
例えば、Ｌｉｇｈｔ＿ｔｈ＿Ｆ≦ａで、かつＡＥ＿ｔｈ≦αである場合には、システム制御回路２４は明るい環境で撮影が行われていると判定する。一方、Ｌｉｇｈｔ＿ｔｈ＿Ｆ＞ａ（所定の明るさ未満）で、かつＡＥ＿ｔｈ＞α（測光閾値未満）の場合には、システム制御回路２４は暗い環境で撮影が行われていると判定する。
【００４８】
なお、図示の例では、撮影環境を測定する際に、照度センサ１４および測光センサ１４を用いたが、測光センサ１４の代わりにイメージセンサ１１の出力を用いるようにしてもよい。さらには、照度センサ１６の出力のみで撮影環境の明るさを判定するようにしてもよい。
【００４９】
撮影環境が明るい場合はＳ３１４に進み、そうでない場合はＳ３３６に進む。Ｓ３１４では、システム制御回路２４は、撮影によって得られた静止画像を確認するためのレビュー（以下クイックレビューという）を開始するまでの時間であるタイムアウトを判定する。ここでは、システム制御回路２４は、静止画を撮影した後、所定の姿勢変化および照度の変化があるまで時間を計測（カウント）する。そして、当該カウント時間をＱＳ＿Ｔｉｍｅとして、システム制御回路２４はカウント時間ＱＳ＿Ｔｉｍｅと所定の閾値ＱＳ＿Ｔｉｍｅ＿ｔｈとを比較して、その比較結果に応じてタイムアウトしたか否かを判定する。
【００５０】
ＱＳ＿Ｔｉｍｅ＿ｔｈ≧ＱＳ＿Ｔｉｍｅであると、システム制御回路２４はクイックレビュー開始のタイムアウト前であると判定する。一方、ＱＳ＿Ｔｉｍｅ＿ｔｈ＜ＱＳ＿Ｔｉｍｅであると、システム制御回路２４はクイックレビュー開始のタイムアウトと判定する。
【００５１】
クイックレビュー開始のタイムアウト前である場合はＳ３１５に進み、クイックレビュー開始のタイムアウトである場合はＳ３０４に戻る。
【００５２】
Ｓ３１５では、システム制御回路２４はレリーズ操作ボタン１７においてＳＷ１が押下げられたか否かを判定する。ＳＷ１が押下げられない場合はＳ３１６に進み、ＳＷ１が押下げられた場合Ｓ３０９に戻る。
【００５３】
Ｓ３１６では、システム制御回路２４は姿勢検出センサ１５の出力に応じて、撮影後のカメラ姿勢を検知する。ここでは、ｘ軸方向、ｙ軸方向、およびｚ軸におけるカメラ姿勢をそれぞれＰｏｓｅ３＿ｘ、Ｐｏｓｅ３＿ｙ、およびＰｏｓｅ３＿ｚとする。
【００５４】
Ｓ３１７では、システム制御回路２４は、照度センサ１６の出力に基づいて、撮影後のカメラの周辺の照度（周辺照度）を検知する。ここでは、照度検出値Ｌｉｇｈｔ＝ｂとする。
【００５５】
Ｓ３１８では、システム制御回路２４はカメラ姿勢に所定の変化があったか否か判定する。Ｓ３１８においては、システム制御回路２４は、カメラ姿勢Ｐｏｓｅ３＿ｘ、Ｐｏｓｅ３＿ｙ、およびＰｏｓｅ３＿ｚとカメラ姿勢Ｐｏｓｅ２＿ｘ、Ｐｏｓｅ２＿ｙ、およびＰｏｓｅ２＿ｚとの差分を求めて、それぞれ差分ｘ、ｙ、およびｚとする。そして、システム制御回路２４は当該差分ｘ、ｙ、およびｚをそれぞれ所定の閾値Ｐｏｓｅ＿ｘ＿ｔｈ、Ｐｏｓｅ＿ｙ＿ｔｈ、およびＰｏｓｅ＿ｚ＿ｔｈと比較して、その比較結果に応じてカメラ姿勢の変化を判定する。
【００５６】
例えば、Ｐｏｓｅ＿ｘ＿ｔｈ≦｜Ｐｏｓｅ２＿ｘ−Ｐｏｓｅ３＿ｘ｜、Ｐｏｓｅ＿ｙ＿ｔｈ≦｜Ｐｏｓｅ２＿ｙ−Ｐｏｓｅ３＿ｙ｜で、かつＰｏｓｅ＿ｚ＿ｔｈ≦｜Ｐｏｓｅ２＿ｚ−Ｐｏｓｅ３＿ｚ｜であるとする。この場合、システム制御回路２４は撮影後のカメラに所定の姿勢変化があったと判定する。
【００５７】
一方、Ｐｏｓｅ＿ｘ＿ｔｈ＞｜Ｐｏｓｅ２＿ｘ−Ｐｏｓｅ３＿ｘ｜、Ｐｏｓｅ＿ｙ＿ｔｈ＞｜Ｐｏｓｅ２＿ｙ−Ｐｏｓｅ３＿ｙ｜で、かつＰｏｓｅ＿ｚ＿ｔｈ＞｜Ｐｏｓｅ２＿ｚ−Ｐｏｓｅ３＿ｚ｜であるとする。この場合、システム制御回路２４は撮影後のカメラに所定の姿勢変化がないと判定する。
【００５８】
撮影後のカメラ姿勢に所定の変化があった場合はＳ３１９に進み、所定の変化がなかった場合はＳ３１４に戻る。
【００５９】
このようにして、撮影の前後でカメラ姿勢に変化があると、システム制御回路２４は撮影の後にユーザーがカメラから離眼したと判定する。
【００６０】
Ｓ３１９では、システム制御回路２４は、照度検出値Ｌｉｇｈｔ＝ｂと照度検出値Ｌｉｇｈｔ＝ａとの差分を所定の閾値Ｌｉｇｈｔ＿ｔｈと比較して、当該比較結果に基づいて周辺照度に所定の変化があったか否かを判定する。
【００６１】
ここでは、Ｌｉｇｈｔ＿ｔｈ≦ａ−ｂである場合には、システム制御回路２４は撮影後において周辺照度に所定の照度があったと判定する。一方、Ｌｉｇｈｔ＿ｔｈ＞ａ−ｂである場合には、システム制御回路２４は撮影後において周辺照度に所定の変化がないと判定する。
【００６２】
撮影後に周辺照度に所定の変化があった場合はＳ３２０に進み、周辺照度に所定の変化がない場合はＳ３１４に戻る。
【００６３】
Ｓ３２０では、システム制御回路２４は、カメラ姿勢Ｐｏｓｅ３＿ｘ、Ｐｏｓｅ３＿ｙ、およびＰｏｓｅ３＿ｚと照度検出値Ｌｉｇｈｔ＝ｂとを用いて表示部２３の輝度調整値を求める。Ｓ３２１では、システム制御回路２４は、当該輝度調整値によって輝度調整が行われた表示部２３に撮影画像を予め設定された設定時間の間クイックレビュー表示する。
【００６４】
続いて、Ｓ３２２では、システム制御回路２４はレリーズ操作ボタン１７のＳＷ１が押下げられたか否かを判定する。ＳＷ１が押下げられない場合はＳ３２３に進み、ＳＷ押し下げられた場合はＳ３２４に進む。
【００６５】
Ｓ３２３では、システム制御回路２４は、予め設定されたクイックレビュー表示の設定時間が経過したい否かを判定する。ここでは、システム制御回路２４はクイックレビュー表示時間を計測（カウント）して、そのカウント値をＱ＿Ｔｉｍｅとする。そして、システム制御回路２４は、予め設定された設定時間Ｑ＿Ｔｉｍｅ＿ｔｈとカウント値Ｑ＿Ｔｉｍｅとを比較して、その比較結果に応じて設定時間Ｑ＿Ｔｉｍｅ＿ｔｈが経過したか否かを判定する。
【００６６】
Ｑ＿Ｔｉｍｅ＿ｔｈ≦Ｑ＿Ｔｉｍｅである場合には、システム制御回路２４はクイックレビュー表示の設定時間が経過したと判定する。一方、Ｑ＿Ｔｉｍｅ＿ｔｈ＞Ｑ＿Ｔｉｍｅである場合には、システム制御回路２４はクイックレビュー表示の設定時間が経過していないと判定して、クイックレビュー表示を継続する。
【００６７】
設定時間が経過した場合はＳ３２４に進み、そうではい場合は、システム制御回路２４は待機する。
【００６８】
Ｓ３２４では、システム制御回路２４はクイックレビュー表示を終了する。そして、システム制御回路２４はクイックレビュー制御を終了する。
【００６９】
Ｓ３２５では、システム制御回路２４は、照度センサ１６による照度検出値Ｌｉｇｈｔ＝Ｌａを求める。そして、Ｓ３２６）では、システム制御回路２４はＬｉｇｈｔ＝Ｌａに基づいて表示部２３の輝度調整値を求める。なお、この輝度調整値は、例えば、揮発性メモリ２１に記憶される。
【００７０】
続いて、Ｓ３２７では、システム制御回路２４は、Ｓ３２６で求めた輝度調整値におうじて表示部２３の輝度を調整して、表示部２３にスルー画像を表示する。そして、Ｓ３２８では、システム制御回路２４は、再度撮影モードがライブビューモード（つまり、ライブビュー表示中）であるか否かを判定する。撮影モードがライブビューモードである場合はＳ３２９に進み、そうでない場合はＳ３０２に戻る。
【００７１】
Ｓ３２９では、システム制御回路２４は、レリーズ操作ボタン１７のＳＷ１が押下されたか否かを判定する。ＳＷ１が押下げられた場合はＳ３３０に進み、そうでない場合はＳ３２８に戻る。
【００７２】
Ｓ３３０では、システム制御回路２４は、ＡＦセンサ１３の出力に応じてＡＦ制御を行う。そして、Ｓ３３１では、システム制御回路２４は、測光センサ１４の出力に基づいて被写体環境の明るさを検出する測光を行う。
【００７３】
続いて、Ｓ３３２では、システム制御回路２４はレリーズ操作ボタン１７のＳＷ２が押下げられたか否かを判定する。ＳＷ２が押下げられた場合はＳ３３３に進み、そうでない場合はＳ３３０に戻る。
【００７４】
Ｓ３３３では、システム制御回路２４は静止画の撮影を行う。そして、Ｓ３３４では、システム制御回路２４はレリーズ操作ボタン１７のＳＷ１が押下げられたか否かを判定する。ＳＷ１が押下げられない場合はＳ３３５に進み、ＳＷ１が押下げられた場合はＳ３３０に戻る。
【００７５】
Ｓ３３５では、システム制御回路２４はライブビュー表示の開始前に求めた輝度調整値を揮発性メモリ２１から読み出す。そして、システム制御回路２４はＳ３２１に進んで、当該輝度調整値に応じて表示部２３の輝度を調整して、表示部２３に撮影画像をクイックレビュー表示する。つまり、システム制御回路２４は、ライブビュー表示中の輝度値に撮影画像の輝度を調整する。
【００７６】
Ｓ３３６では、システム制御回路２４は、撮影前に求めたカメラ姿勢Ｐｏｓｅ２＿ｘ、Ｐｏｓｅ２＿ｙ、およびＰｏｓｅ２＿ｚと照度検出値Ｌｉｇｈｔ＝ａとを用いて表示部の輝度調整値を求める。そして、システム制御回路２４はステップＳ３２１の処理に進み、当該輝度調整値に応じて表示部２３の輝度を調整して、表示部２３に撮影画像をクイックレビュー表示する。
【００７７】
上述の例では、カメラ姿勢に所定の変化があり、かつ周辺照度に所定の変化があると、クイックレビュー表示を開始するようにした。一方、撮影の後に、カメラ姿勢に所定の変化があり、かつ周辺照度に所定の変化とする。この場合、その後、所定の時間以上同一のカメラ姿勢及び周辺照度に維持される条件を満たした場合にクイックレビューを開始するようにしてもよい。
【００７８】
さらに、上述の例では、クイックレビュー表示を行うタイミングにおいて、カメラ姿勢の変化および周辺照度の変化に応じて表示部の輝度を制御するようにした。一方、表示部の輝度を予め設定された所定の輝度調整値で調整するようにしてもよい。
【００７９】
このように、本発明の第１の実施形態では、撮影前後においてカメラ姿勢の変化および周辺照度の変化が発生するまでクイックレビュー表示を行わないように制御する。これによって、ユーザーがクイックレビュー表示を確認する状態に移行したタイミングで、クイックレビュー表示および表示部の輝度制御を行うことができる。
【００８０】
さらに、クイックレビュー表示の開始タイミングでのみ輝度制御を行うので、カメラ姿勢の変化によって表示部の輝度が頻繁に変化することを防止することができる。
【００８１】
また、姿勢検出センサおよび照度センサを用いてユーザーの接眼状態を検知するようにしたので、別に接眼検知センサを備える必要がなく、コストを低減することができる。
【００８２】
なお、カメラが三脚に固定されている場合、撮影のユーザーが光学レンズを下向き方向に向けている場合、そして、周辺照度が暗い場合など撮影の前後でカメラ姿勢又は照度の変化が発生しないことがある。このような場合には、クイックレビューの開始タイミングを正確に判定できない恐れがある。よって、上記のような条件下においては、カメラ姿勢および周辺照度の変化に拘わらず、クイックレビュー表示を開始する。
【００８３】
［第２の実施形態］
次に、本発明の第２の実施形態によるカメラの一例について説明する。なお、第２の実施形態によるカメラの構成は、図１および図２に示すカメラと同様である。
【００８４】
図４Ａおよび図４Ｂは、本発明の第２の実施形態によるカメラで行われる表示部の輝度を調整する制御を説明するためのフローチャートである。なお、図示のフローチャートに係る処理は、不揮発性メモリ２２に格納されたプログラムを揮発性メモリ２１に展開してシステム制御回路２４が実行することによって行われる。
【００８５】
Ｓ４０１において、カメラの電源が投入されると、システム制御回路２４はＳ４０２〜Ｓ４０６の処理を行う。なお、Ｓ４０２〜Ｓ４０８は、図３Ａおよび図３Ｂで説明したＳ３０４〜Ｓ３１０の処理と同様の処理であるので、ここでは説明を省略する。
【００８６】
Ｓ４０８の処理の後、Ｓ４０９において、システム制御回路２４はレリーズ操作ボタン１７のＳＷ１が押下げられたか否かを判定する。ＳＷ１が押下げられない場合はＳ４１０に進み、ＳＷ１が押下げられた場合はＳ４０７に戻る。なお、図示のＳ４１０およびＳ４１１の処理は、図３Ａおよび図３Ｂに示すＳ３１６およびＳ３１７の処理と同様であるので、ここでは説明を省略する。
【００８７】
Ｓ４１１の処理の後、Ｓ４１２において、システム制御回路２４は、カメラ姿勢Ｐｏｓｅ２＿ｘ、Ｐｏｓｅ２＿ｙ、およびＰｏｓｅ２＿ｚと照度検出値Ｌｉｇｈｔ＝ｂとに応じて表示部２３の輝度調整値を求める。そして、Ｓ４１３では、システム制御回路２４は、当該輝度調整値に応じて表示部２３の輝度を調整して、表示部２３に撮影画像をクイックレビュー表示する。
【００８８】
続いて、Ｓ４１４では、システム制御回路２４は、レリーズ操作ボタン１７のＳＷ１が押下げられたか否かを判定する。ＳＷ１が押下げられ場合はＳ４１５に進み、押し下げられた場合はＳ４０７に戻る。
【００８９】
Ｓ４１５では、システム制御回路２４は、図３Ａおよび図３Ｂで説明したＳ３２３と同様にクイックレビュー表示の設定時間が経過したか否かを判定する。設定時間が経過した場合はＳ４１６に進み、そうでない場合はＳ４１７に進む。
【００９０】
Ｓ４１６では、システム制御回路２４は、図３Ａおよび図３Ｂで説明したＳ３２４と同様にクイックレビュー表示を終了する。そして、システム制御回路２４は表示部輝度制御を終了する。
【００９１】
Ｓ４１７では、システム制御回路２４は姿勢検出センサ１５によってクイックレビュー中のカメラ姿勢を検知してカメラ姿勢をＰｏｓｅ３＿ｘ、Ｐｏｓｅ３＿ｙ、およびＰｏｓｅ３＿ｚを得る。Ｓ４１８では、システム制御回路２４は照度センサ１６によってクイックレビュー中の周辺照度を検知して、照度検出値Ｌｉｇｈｔ＝ｃを得る。
【００９２】
Ｓ４１９では、システム制御回路２４はカメラ姿勢Ｐｏｓｅ３＿ｘ、Ｐｏｓｅ３＿ｙおよびＰｏｓｅ３＿ｚとカメラ姿勢Ｐｏｓｅ１＿ｘ、Ｐｏｓｅ１＿ｙ、およびＰｏｓｅ１＿ｚとの差分をそれぞれ差分ｘ１、ｙ２、およびｚ１として求める。システム制御回路２４は、差分ｘ１、ｙ２、およびｚ１と所定の閾値Ｐｏｓｅ＿ｘ＿ｔｈ、Ｐｏｓｅ＿ｙ＿ｔｈ、およびＰｏｓｅ＿ｚ＿ｔｈとを比較する。被憂くして定義する。また、所定の閾値Ｐｏｓｅ＿ｔｈと比較する。そして、システム制御回路２４は当該比較結果に基づいてカメラ姿勢に所定の変化があったか否かを判定する。
【００９３】
例えば、Ｐｏｓｅ＿ｘ＿ｔｈ≦｜Ｐｏｓｅ１＿ｘ−Ｐｏｓｅ３＿ｘ｜、Ｐｏｓｅ＿ｙ＿ｔｈ≦｜Ｐｏｓｅ１＿ｙ−Ｐｏｓｅ３＿ｙ｜で、かつＰｏｓｅ＿ｚ＿ｔｈ≦｜Ｐｏｓｅ１＿ｚ−Ｐｏｓｅ３＿ｚ｜であるとする。この場合、システム制御回路２４はクイックレビュー中においてカメラ姿勢に所定の姿勢変化があったと判定する。
【００９４】
一方、Ｐｏｓｅ＿ｘ＿ｔｈ＞｜Ｐｏｓｅ１＿ｘ−Ｐｏｓｅ３＿ｘ｜、Ｐｏｓｅ＿ｙ＿ｔｈ＞｜Ｐｏｓｅ１＿ｙ−Ｐｏｓｅ３＿ｙ｜で、かつＰｏｓｅ＿ｚ＿ｔｈ＞｜Ｐｏｓｅ１＿ｚ−Ｐｏｓｅ３＿ｚ｜であるとする。この場合、システム制御回路２４は、クイックレビュー中においてカメラ姿勢に所定の変化がないと判定する。
【００９５】
クイックレビュー中においてカメラ姿勢に所定の変化があった場合はＳ４２０に進み。カメラ姿勢に所定の変化がない場合はＳ４１４に戻る。
【００９６】
Ｓ４２０では、システム制御回路２４は照度検出値Ｌｉｇｈｔ＝ｃと照度検出値Ｌｉｇｈｔ＝ａとの差分を求めて、当該差分と所定の閾値Ｌｉｇｈｔ＿ｔｈとを比較する。そして、システム制御回路２４は当該比較結果に基づいて周辺照度に所定の変化があったか否かを判定する。
【００９７】
例えば、Ｌｉｇｈｔ＿ｔｈ≦ａ−ｃである場合には、システム制御回路２４はクイックレビュー中において周辺照度に所定の変化があったと判定する。一方、Ｌｉｇｈｔ＿ｔｈ＞ａ−ｃである場合には、システム制御回路２４はクイックレビュー中において周辺照度に所定の変化がないと判定する。
【００９８】
周辺輝度に所定の変化があった場合はＳ４２１に進み、そうでない場合はＳ４１４に戻る。
【００９９】
Ｓ４２１では、システム制御回路２４はカメラ姿勢Ｐｏｓｅ３＿ｘ、Ｐｏｓｅ３＿ｙ、およびＰｏｓｅ３＿ｚと照度検出値Ｌｉｇｈｔ＝ｃとに基づいて表示部２３の輝度調整値を求める。
【０１００】
Ｓ４２２では、システム制御回路２４は、Ｓ４２１で求めた輝度調整値に応じて表示部２３の輝度を調整する。つまり、システム制御回路２４は、輝度調整値に基づいてクイックレビュー中の撮影画像における輝度を変更する。
【０１０１】
このように、本発明の第２の実施形態では、クイックレビュー中にカメラ姿勢に変化があり、かつ周辺照度に変化があると、ユーザーがクイックレビューを観察する環境が変化したとする。そして、カメラ姿勢の変化および周辺照度の変化に応じてクイックレビュー表示における輝度を制御する。これによって、ユーザーがクイックレビューを確認している状態に応じて表示部の輝度を制御することができる。
【０１０２】
なお、システム制御回路２４が行うものとして説明した上述の各種制御は、１つのハードウェアが行ってもよいし、複数のハードウェアが処理を分担することで、装置全体の制御を行ってもよい。
【０１０３】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【０１０４】
上述した実施形態においては、本発明を撮像装置に適用した場合を例にして説明したが、これはこの例に限定されず、撮像手段を有する機器、表示部に画像などのデータを表示する機器であれば適用可能である。すなわち、本発明は、携帯電話端末、携帯型の画像ビューワ、ディスプレイを備えるプリンタ装置、デジタルフォトフレーム、ゲーム機、電子ブックリーダー、タブレット端末、スマートフォン、ディスプレイを備える家電装置や車載装置などに適用可能である。
【０１０５】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１０６】
１０  光学レンズ
１１  イメージセンサ
１２  撮像制御回路
１５  姿勢検出センサ
１６  照度センサ
１９  画像処理回路
２１  揮発性メモリ
２２  不揮発性メモリ
２３  表示部
２４  システム制御回路
【図１】
2018074277.tif 000003
【図２】
2018074277.tif 000004
【図３Ａ】
2018074277.tif 000005
【図３Ｂ】
2018074277.tif 000006
【図４Ａ】
2018074277.tif 000007
【図４Ｂ】
2018074277.tif 000008